(57)【要約】【課題】耐久性のあるスパイクシューズの提供。【解決手段】つま先に保護カバー２が取り付けられたスパイクシューズ８において前記保護カバーの摩耗し易い箇所に、その上から金属製の保護金具３を被せて密着固定する事を特徴とする。スパイクシューズの特に摩耗し易い箇所に金属製の保護金具を重ね合わせたので、スパイクシューズが長持ちし、結果的に経済性の優れたものとなる。【選択図】図１
2012152539.tif 000002
【特許請求の範囲】
【請求項１】
スパイクシューズの保護カバーのつま先と土踏まずの間の曲がった側面形状の角度、カーブとソールの曲線形状に合わせ、金具を合成樹脂、合成ゴム、長方形の金属座金をサンドイッチ状にリベットで「かしめ」で取り付け、応力を利用して摩擦による穴開きを防止し耐久強度を著しく向上さす技術。
【請求項２】
靴のスライド（横動き）の動きによる摩耗である一部分の穴開きを金具で防止。
【請求項３】
保護カバーと靴との固定に金属の木ねじを使用して、取りはずしが誰でもでき、交換が簡単に行える方法。
【請求項４】
ソール側に折り曲げた金具に爪を付け横すべりの防止。
【請求項５】
ソール側に折り曲げた爪なしの金具で、保護カバーとソールの角の一部分を金具で摩耗を防ぎ穴開きの防止。
【発明の詳細な説明】
【技術分野】プレス型抜き、金属工芸の鍛金技法、かしめ技術。
【背景技術】金属工芸による保護カバーの曲面にフィツトさす鍛金技術及びリベットによる使用に耐える固定方法。
【発明が解決しようとする課題】
従来の保護カバーは耐久力が不足していて、つま先と土踏まずの間に運動時に体重が乗り靴の内側と角が摩耗して穴が開き、靴までも損傷して片方の靴が健在でも廃棄にいたり、その結果非常な不経済になり、廃棄して「ごみ」になり、その結果ＣＯ２の発生に繋がる。
【産業上の利用可能性】プレス型抜きでシルエット（形ち）を加工し量産して、金属工芸の鍛金技術で一個ずつの大きさやカーブの違う保護カバーの曲面にフィツトさせる手つくりの技法と機械力の応用。
【課題を解決するための手段】
実際に使いモニターを自らも行い、金属を変え改善して耐久力を向上さす。
【発明の効果】
保護カバー、靴の片方のみ損傷して健在な片方も廃棄にいたり、「ごみ」に出しＣＯ２の減少に繋がる。
【図面の簡単な説明】
【図１】は断面図でどのように部品を組み立て、「かしめ」技法で固定した状態の図。
【図２】は左足の靴に金具を取り付けた状態の図。
【図３】は左足の靴のソールと保護カバーを木ねじで取り付けた図。
【図４】は左足の靴にリビットで金具を取り付けた図。
【図５】は左足の靴に取り付けた金具の「爪」の数と位置の図。
【発明を実施するための形態】
習得しているプレス型抜きと金属工芸の鍛金の応用で技術は完成している。
【実施例】凍土で私と友人で使用して強度のモニターをして強度の完成は確認済み。
【図１】
2012152539.tif 000003
【図２】
2012152539.tif 000004
【図３】
2012152539.tif 000005
【図４】
2012152539.tif 000006
【図５】
2012152539.tif 000007
【手続補正書】
【提出日】平成23年8月10日(2011.8.10)
【手続補正１】
【補正対象書類名】特許請求の範囲
【補正対象項目名】全文
【補正方法】変更
【補正の内容】
【特許請求の範囲】
【請求項１】
スパイクシューズのつま先と側面を保護するスパイクシューズの保護カバーで有って、その保護カバーの摩耗する箇所のつま先又は側面に保護金具を取り付けたことを特徴とするスパイクシューズ。
【請求項２】
前記保護金具の取り付けは、合成樹脂もしくは合成ゴムを介在させて取り付けた事を特徴とする請求項１に記載のスパイクシューズ。
【請求項３】
前記保護金具の取り付けは、保護カバーにリベットで「かしめ」られている事を特徴とする請求項１のスパイクシューズ。
【請求項４】
前記保護金具の先端には、複数の爪を有する事を特徴とする請求項１に記載のスパイクシューズ。
【手続補正２】
【補正対象書類名】明細書
【補正対象項目名】全文
【補正方法】変更
【補正の内容】
【発明の詳細な説明】
【技術分野】
【０００１】スパイクシューズの保護カバーの製造技術分野に関する。
【背景技術】
【０００２】この種の保護カバーとしては、合成樹脂製のものが主流である。
【発明が解決しようとする課題】
【０００３】ところが従来の保護カバーは耐久力が不足していて、つま先と土踏まずの間に運動時に体重が乗りスパイクシューズの内側と角が摩耗して穴が開き、スパイクシューズまでも損傷して片方のスパイクシューズが健在でも廃棄に至り、その結果非常な不経済になり、廃棄して「ごみ」になり、その結果ＣＯ２の発生に繋がる。
【課題を解決するための手段】
【０００４】つま先に保護カバーが取り付けられたスパイクシューズにおいて前記保護カバーの摩耗し易い箇所に、その上から金属製の保護金具を被せて密着固定する事を特徴とする。
【発明の効果】
【０００５】スパイクシューズの特に摩耗し易い箇所に金属製の保護金具を重ね合わせたので、スパイクシューズが長持ちし、結果的に経済性の優れたものとなる。
【図面の簡単な説明】
【０００６】
【図１】本発明の一実施形態に係るスパイクシューズの外観斜視図。
【図２】本発明の一実施形態に係るスパイクシューズのソールを示す平面図。
【図３】本発明の一実施形態に係るスパイクシューズに保護カバー、保護金具を装着する前の一部断面図。
【図４】前記スパイクシューズに保護カバー、保護金具を取り付けて固定した状態の一部断面。
【図５】本発明の一実施形態に係るスパイクシューズのソール平面図。
【発明を実施するための形態】
【０００７】以下、本発明の実施の形態を図１〜図５に基づいて説明する。
【実施例】
【０００８】図１において、本発明の一実施形態に係るスパイクシューズ８のつま先には、保護カバー２が取りに付けられ、保護カバー２の先端には、特に摩耗しやすい箇所に金属製の保護金具３を複数のリベット１で「かしめ」ている、又この保護金具３の先端下部に必要な数の爪９を設けている、スパイクシューズ８に保護カバー２と保護金具３を取り付けているのは保護金具３、保護カバー２が損傷しても、保護金具３、保護カバー２の取替えが可能で有る。【０００９】図２は、スパイクシューズ８のソールのつま先には、爪９が無い保護カバー２が必要な複数の金属製木ねじ７でスパイクシューズに取り付けられている。【００１０】図３は、つま先に保護金具３を取り付ける前の部分断面図を表す。この図において保護金具３の下面には爪９を設けており、この保護金具３と保護カバー２との間に緩衝材４を介在させ、更に保護カバー２の裏面には座金６を設けそれらをリベット１を貫通させて「かしめ」ている。【００１１】図４は、リベット１で「かしめ」た状態の断面を表す。この図において保護金具３がとりつけられた保護カバー２がスパイクシューズ８に必要な数の金属製の木ねじ７で取り付けている状態の断面図を表している。【００１２】図５は、保護金具３に設けられた爪９の配置と、保護カバー２をソウルに取り付ける複数の金属製の木ねじの配置を示す。
【符号の説明】
【００１３】１．リベット    ２．保護カバー    ３．保護金具    ４．緩衝材
５．スパイクシューズの紐    ６．座金    ７．金属製木ねじ
８．スパイクシューズ    ９．金具の爪    １０．スパイクシューズのゴムの爪
【手続補正３】
【補正対象書類名】図面
【補正対象項目名】全図
【補正方法】変更
【補正の内容】
【図１】
2012152539.tif 000008
【図２】
2012152539.tif 000009
【図３】
2012152539.tif 000010
【図４】
2012152539.tif 000011
【図５】
2012152539.tif 000012
【手続補正書】
【提出日】平成24年1月16日(2012.1.16)
【手続補正１】
【補正対象書類名】特許請求の範囲
【補正対象項目名】全文
【補正方法】変更
【補正の内容】
【特許請求の範囲】
【請求項１】
スパイクシューズのつま先と側面を保護するスパイクシューズの保護カバーを有し、その保護カバーの摩擦する箇所のつま先又は側面に保護金具を取り付け、  前記保護金具はスパイクシューズのつま先と土踏まずの間の曲がった側面形状の角度、カーブとソールの曲線形状とに合うように成形され、この保護金具と保護カバーとの間に合成樹脂又は合成ゴムを介在させ、さらに保護カバーの裏面に長方形の金属座金を設けて、これら保護金具、合成樹脂又は合成ゴム、保護カバー及び金属座金をサンドイッチ状にリベットによりかしめたことを特徴とするスパイクシューズ。    
【請求項２】
前記保護カバーはソールのつま先を囲うように金属製木ねじにより取り付けられていることを特徴とする請求項１に記載のスパイクシューズ。    
【請求項３】
前記保護金具の先端には、複数の爪を有することを特徴とする請求項１又は２記載のスパイクシューズ。
【手続補正２】
【補正対象書類名】明細書
【補正対象項目名】０００４
【補正方法】変更
【補正の内容】
【０００４】
本発明は、上記課題を解決するため、スパイクシューズのつま先と側面を保護するスパイクシューズの保護カバーを有し、その保護カバーの摩擦する箇所のつま先又は側面に保護金具を取り付け、前記保護金具はスパイクシューズのつま先と土踏まずの間の曲がった側面形状の角度、カーブとソールの曲線形状とに合うように成形され、保護金具と保護カバーとの間に合成樹脂又は合成ゴムを介在させ、さらに保護カバーの裏面に長方形の金属座金を設けて、これら保護金具、合成樹脂又は合成ゴム、保護カバー及び金属座金をサンドイッチ状にリベットによりかしめたことを特徴とする。
【手続補正３】
【補正対象書類名】明細書
【補正対象項目名】０００５
【補正方法】変更
【補正の内容】
【０００５】
上記のように構成して、スパイクシューズの特に磨耗し易い箇所に金属製の保護金具を重ね合わせたので、スパイクシューズが長持ちし、結果的に経済性の優れたものとなるばかりか、金属製の保護金具でありながら、保護カバーに密着固定することができる。
【手続補正４】
【補正対象書類名】明細書
【補正対象項目名】００１０
【補正方法】変更
【補正の内容】
【００１０】
図３は、つま先に保護金具３を取り付ける前の部分断面図を表す。この図において保護金具３はプレス型抜きでシルエット（外形）を加工し量産して、金属工芸の鍛金技術で一個ずつの大きさやカーブの違う保護カバーの曲面にフィットさせる手つくりの技法と機械力の応用により、スパイクシューズのつま先と土踏まずの間の曲がった側面形状の角度、カーブに合うように成形されている。また、この保護金具３はソールの曲線形状に合うように、すなわちソール側に折り曲げられており、その下面には爪９が設けられ、横滑りを防止するように構成されている。また、前記保護金具３と保護カバー２との間に合成樹脂又は合成ゴム４が介在しており、更に保護カバー２の裏面には長方形の金属座金６が設けられ、保護金具３、合成樹脂又は合成ゴム４、保護カバー２及び長方形の金属座金６をリベットが貫通し、これらはリベットによりサンドイッチ状にかしめられている。
【手続補正５】
【補正対象書類名】明細書
【補正対象項目名】００１３
【補正方法】変更
【補正の内容】
【００１３】
１．リベット    ２．保護カバー    ３．保護金具    ４．合成樹脂又は合成ゴム
５．スパイクシューズの紐    ６．金属座金    ７．金属製木ねじ
８．スパイクシューズ    ９．金具の爪    １０．スパイクシューズのゴムの爪